(57)【要約】【課題】  グランド等の地ならしを行うと共にそこに一定巾寸法の走行路を隣接して正確に形成するマーカー付レーキを提供する。【解決手段】  レーキ用板２の左右端側にこの下端からはみ出るマーカー用爪１を設け、このマーカー用爪１，１の間隔を走行路の巾寸法に合わせ、通常のレーキ作業と同様の作用を行うことにより地面に一定巾の走行路を形成することができる。【選択図】  図１
0003120983.tif 000002
【実用新案登録請求の範囲】
【請求項１】
グランド等の地ならし等を行うためのレーキであって、該レーキは把手用パイプの連結される横長の平板状のレーキ用板の左右端側に前記レーキ用板の下端面からはみ出して固定されるマーカー用爪を有するものからなり、前記マーカー用爪は、その先端部を鋭角状に形成するものからなることを特徴とするマーカー付レーキ。
【請求項２】
前記左右のマーカー用爪は、前記レーキ用板の長手方向に沿って移動可能に取着されることを特徴とする請求項１に記載のマーカー付レーキ。
【請求項３】
前記左右の前記レーキ用爪の間隔が、グランドの走行路巾寸法に等しいものからなることを特徴とする請求項１又は２に記載のマーカー付レーキ。
【考案の詳細な説明】
【技術分野】
【０００１】
本考案は、グランド等の地ならしをするレーキに係り、単に地ならしにのみ使用せず、グランド等の走行路の線引きに使用できる簡便構造のマーカー付レーキに関する。
【背景技術】
【０００２】
従来よりグランド等の地ならしとして各種のレーキが使用されている。例えば、そのレーキとしては細長の平板状のものや地ならし側に鋸刃を形成したもの等があり、グランド整備に耐える強度を有するものが使用されている。公知技術の１つとして「特許文献１」が挙げられるが、後に説明するようなマーカー付のレーキは従来では存在していなかった。
【特許文献１】実用新案登録第３１０１３９１号（図１）
【考案の開示】
【考案が解決しようとする課題】
【０００３】
グランドは前記のように地ならしが必要であるが、グランドの１つの目的としてその周縁部等に例えば走行用の道路（走行路）を形成する必要がある。走行路としては走行可能な巾寸法のものを複数本隣接して形成する必要があり、一定巾のものが要求される。また、一般に走行路は数１００ｍの長路に形成されることが必要である。この走行路形成手段として各種のものがあるが、グランドのならし用のレーキにその機能をもたせる事ができれば極めて便利である。また、走行路の巾寸法は通常１２５ｃｍ位のものであるが、使用用途によってこの巾寸法も変化するためこれに対応することが必要である。
【０００４】
本考案は、以上の事情に鑑みて考案されたものであり、地ならしの通常の機能を有すると共に、走行路のマーク，巾寸法の線引きができ、その巾寸法も可変にできる簡便構造のマーカー付レーキを提供することを目的とする。
【課題を解決するための手段】
【０００５】
本考案は以上の目的を達成するために、請求項１の考案は、グランド等の地ならし等を行うためのレーキであって、該レーキは把手用パイプの連結される横長の平板状のレーキ用板の左右端側に前記レーキ用板の下端面からはみ出して固定されるマーカー用爪を有するものからなり、前記マーカー用爪は、その先端部を鋭角状に形成するものからなることを特徴とする。
【０００６】
また、請求項２の考案は、前記左右のマーカー用爪は、前記レーキ用板の長手方向に沿って移動可能に取着されることを特徴とする。
【０００７】
また、請求項３の考案は、前記左右の前記レーキ用爪の間隔が、グランドの走行路巾寸法に等しいものからなることを特徴とする。
【考案の効果】
【０００８】
本考案の請求項１のマーカー付レーキによれば、細長の平板状のレーキ用板の下端側の左右端側にその下端からはみ出した形でマーカー用爪を固定し、その先端を鋭角にすることにより、通常の地ならし作業とほぼ同様の動作により綺麗な線引きをすることができる。
【０００９】
また、本考案の請求項２のマーカー付レーキによれば、マーカー用爪を左右方向に移動可能にレーキ用板に取着し得ることにより走行路の巾寸法の変化に対応することができる。
【００１０】
また、本考案の請求項３のマーカー付レーキによれば、左右のマーカー用爪の間隔を走行路の巾寸法と等しくすることによりレーキを移動するだけで走行路の巾寸法と等しい走行路を形成することができる。また、既線引きされた１つの線の上に一方のマーカー用爪を位置づけてレーキを移動させることにより、同一の巾寸法の隣接した走行路を形成することができる。
【考案を実施するための最良の形態】
【００１１】
以下、本考案のマーカー付レーキの実施の形態を図面を参照して詳述する。
図１は本考案のマーカー付レーキ１００の全体構造を示す斜視図である。マーカー付レーキ１００は細長の平板状のレーキ用板２と、その中央部に先端側を固定する把手用パイプ３と、把手用パイプ３とレーキ用板２との間に架設されて両者を補強する補強用ステー４等とからなり、レーキ用板２の左右端近傍には本考案の重要構成要素があるマーカー用爪１がボルト５により固定される。
【００１２】
マーカー用爪１は図２に示すように適宜の板厚の平板状片からなりその先端側は先細りのテーパ状に形成されたものからなり、頂端は尖先状のものからなる。また、テーパ状に形成されていない基端側にはボルト５の取付け用の貫通孔６が形成される。なお、図１におけるレーキ用板２は軽量化のためアルミニウム板から形成されるものもあるが、このマーカー用爪は硬質材からなり、耐久性を向上するようにしている。
【００１３】
図３は図１を正面から見た正面図であるが、一例としてアルミニウム板のレーキ用板２は厚み０．６ｃｍで縦巾１０ｃｍで横巾１４５ｃｍの場合において左右のマーカー用爪１，１間の間隔は１２５ｃｍとなり、マーカー用爪１の突出長は３．５ｃｍのものからなるが、勿論、これに限定するものではない。なお、左右のマーカー用爪１，１の間隔を１２５ｃｍとしたのは通常のグランドに形成される走行路の巾寸法が１２５ｃｍのためである。
【００１４】
走行路の巾寸法は前記のように１２５ｃｍの場合が通常であるが、小学校のような子供達が使用する走行路の巾寸法は１００ｃｍの場合が多い。そのため、マーカー用爪１の間隔を可変にする必要がある。図４はその手段を示すものである。図４（ａ）はレーキ用板２のマーカー用爪１の取付け部近傍に左右方向に伸びる長溝７を形成したものである。この長溝７により図４（ｂ）に示すようにマーカー用爪１の取付け位置を左右方向にわたって変化させることができる。また、図４（ｃ）に示すように長溝７の替りにレーキ用板２に取付け孔８を複数個設けるものでもよい。
【００１５】
図５は本考案のマーカー付レーキ１００を用いたグランドにおける線引き動作（即ち、マーカー付レーキ１００の使用方法）を示すものである。レーキ用板２のマーカー用爪１のない側（上端側）を用いてグランドの地ならしを行った後、マーカー付レーキ１００のマーカー用爪１，１の間隔を例えば１２５ｃｍ（又は１００ｃｍ）に調整し、図５（ａ）に示すようにマーカー用爪１を地面９（グランド）に圧接させた状態で通常のレーキ作業とほぼ同様な移動を行う。これにより、図５（ａ）に示すように地面９にイ及びロで示す線が引かれる。よってこのイとロの間のスペースが１つの走行路１０となる。次に、図５（ｂ）に示すようにマーカー付レーキ１００の図示における左側のマーカー用爪１をロの位置に合わせ、前記と同様なレーキ動作を行うことによりハの線が引かれ、ロとハの間にイとロの間と同様な隣接した走行路１０が形成される。
図６は以上のようにして作られた走行路１０を示すものであり、隣接した複数本の走行路１０が形成される。
【００１６】
マーカー用爪１の先端を鋭角にしたのはマーカー用爪１の地面９へのくい込みを確実のものにすると共に正確な巾寸法の走行路１０を形成するためである。
また、長期間の使用によりマーカー用爪１が摩滅するため、ボルト５の取外しによりレーキ本体がそのままの状態で容易に新品と交換することができる。
【産業上の利用可能性】
【００１７】
本考案のマーカー付レーキは、グランドにおける走行路の形成に使用されるが、勿論、グランドにおける走行路形成に限らず区画線を形成する必要がある地面に適用されその利用範囲は広い。
【図面の簡単な説明】
【００１８】
【図１】本考案のマーカー付レーキの全体構造を示す斜視図。
【図２】本考案のマーカー付レーキのマーカー用爪の形状を示す斜視図。
【図３】図１の正面図。
【図４】マーカー用爪の左右方向の取付け位置を変えるための長溝を示す部分正面図（ａ）、この長溝にマーカー用爪を取付けた状態を示す部分正面図（ｂ）及び長溝の替りの取付け孔を示す部分正面図（ｃ）。
【図５】本考案のマーカー付レーキによる地面への線引き作業（本考案の使用方法）を説明するための模式図（ａ），（ｂ）。
【図６】本考案のマーカー付レーキによって形成された走行路を示す斜視図。
【符号の説明】
【００１９】
１      マーカー用爪
２      レーキ用板
３      把手用パイプ
４      補強用ステー
５      ボルト
６      貫通孔
７      長溝
８      取付け孔
９      地面
１０    走行路
１１    マーカー付レーキ
１００  マーカー付レーキ
【図１】
0003120983.tif 000003
【図２】
0003120983.tif 000004
【図３】
0003120983.tif 000005
【図４】
0003120983.tif 000006
【図５】
0003120983.tif 000007
【図６】
0003120983.tif 000008